(57)【要約】【課題】室内の温度の調整精度を向上させる。【解決手段】複数の照明１と、複数の照明１が設置された室内の温度を調整する空調装置３を制御する空調制御装置２と、を備える空調制御システムＳであって、複数の照明１のそれぞれは、温度を測定する温度測定部１４と、温度測定部１４により測定された温度を示す温度情報を出力する出力部１６と、を有し、空調制御装置２は、複数の照明の出力部１６が出力する複数の温度情報を取得する取得部２１と、複数の温度情報に基づいて、空調装置を制御する制御部２３と、を有する。【選択図】図１
2014228173.tif 000002
【特許請求の範囲】
【請求項１】
複数の照明と、前記複数の照明が設置された室内の温度を調整する空調装置を制御する空調制御装置と、を備える空調制御システムであって、
前記複数の照明のそれぞれは、
温度を測定する温度測定部と、
前記温度測定部により測定された前記温度を示す温度情報を出力する出力部と、
を有し、
前記空調制御装置は、
前記複数の照明の前記出力部が出力する複数の前記温度情報を取得する取得部と、
前記複数の温度情報に基づいて、前記空調装置を制御する制御部と、
を有する、空調制御システム。
【請求項２】
前記照明は、
前記室内における前記照明の位置を示す位置情報の入力を受ける位置入力部をさらに有し、
前記出力部は、前記位置入力部が入力を受けた前記位置情報に関連付けて前記温度情報を出力し、
前記取得部は、前記複数の照明の前記出力部が出力する複数の前記位置情報に関連付けられた前記複数の温度情報を取得し、
前記制御部は、前記複数の位置情報と前記複数の温度情報とに基づいて、前記空調装置を制御する、
請求項１に記載の空調制御システム。
【請求項３】
前記空調制御装置は、
前記照明の種別を示す種別情報に関連付けて、前記照明の発熱量を示す発熱量情報を記憶する記憶部をさらに有し、
前記出力部は、前記種別情報を、前記温度情報に関連付けて出力し、
前記取得部は、前記種別情報に関連付けて前記複数の温度情報を取得し、
前記制御部は、前記記憶部に記憶された前記種別情報に対応する前記発熱量情報に基づいて前記複数の温度情報を補正し、補正後の複数の温度情報に基づいて、前記空調装置を制御する、
請求項１又は２に記載の空調制御システム。
【請求項４】
前記照明は、
前記照明の照度を制御する照明制御部をさらに有し、
前記空調制御装置は、
前記照度に関連付けて、前記照明の発熱量を示す発熱量情報を記憶する記憶部をさらに有し、
前記出力部は、前記照度を示す照度情報を、前記温度情報に関連付けて出力し、
前記取得部は、前記照度情報に関連付けて前記複数の温度情報を取得し、
前記制御部は、前記記憶部に記憶された前記照度情報に対応する前記発熱量情報に基づいて前記複数の温度情報を補正し、補正後の複数の温度情報に基づいて、前記空調装置を制御する、
請求項１又は２に記載の空調制御システム。
【請求項５】
前記複数の照明が、第１種の照明と第２種の照明とを含み、
前記照明が、他の照明から前記温度情報を受信する受信部をさらに有し、
前記第１種の照明においては、
前記受信部が、前記他の照明から前記温度情報を受信し、
前記出力部が、前記他の照明から受信した前記温度情報と、前記温度測定部により測定された温度を示す前記温度情報とを、少なくとも１つの他の照明に対して送信し、
前記第２種の照明においては、
前記受信部が、前記他の照明から前記温度情報を受信し、
前記出力部が、前記他の照明から受信した前記温度情報と、前記温度測定部により測定された温度を示す前記温度情報とを、前記空調制御装置に対して送信する、
請求項１から４のいずれか１項に記載の空調制御システム。
【請求項６】
複数の照明が設置された室内の温度を調整する空調装置を制御する空調制御装置であって、
温度を測定する温度測定部を有する前記複数の照明が出力する複数の温度情報を取得する取得部と、
前記複数の温度情報に基づいて、前記空調装置を制御する制御部と、
を有する、空調制御装置。
【請求項７】
温度を測定する温度測定部と、
前記温度測定部により測定された前記温度を示す温度情報を、複数の照明が設置された室内の温度を調整する空調装置を制御する空調制御装置に対して出力する出力部と、
を備える温度測定機能付き照明。
【発明の詳細な説明】
【技術分野】
【０００１】
本発明は、空調制御システム、空調制御装置及び温度検出機能付き照明に関する。
【背景技術】
【０００２】
従来、日射量や外気温度を検知して、検知した日射量や外気温度に応じて室内空間の温度（以下、室温という）を制御するシステムが知られている（例えば、特許文献１を参照）。また、室内の人の近くに設けられた温度センサにより検知した温度に基づいて、室温を制御するシステムも知られている（例えば、特許文献２を参照）。
【先行技術文献】
【特許文献】
【０００３】
【特許文献１】特開２００５−３７１０９号公報
【特許文献２】特開平８−１９３７３８号公報
【発明の概要】
【発明が解決しようとする課題】
【０００４】
従来のように、日射量や外気温度を用いて室温を制御する場合、予め測定された室温と日射量や外気温度との関係が用いられる。ところが、室温は、室内で使用する電気機器の数、室内の人数のような日射量や外気温度以外の要因によって変動する。したがって、予め測定された室温と日射量や外気温度との関係を用いて室温を制御すると、所望の室温に設定できない場合があるという問題が生じていた。
【０００５】
また、従来のように室内の人の近くに温度センサを設ける場合、人の移動に合わせて温度センサの位置が移動する。したがって、人の移動に合わせて頻繁に空調装置の設定を変更しなければならない。空調装置の設定を変更しても、温度が変化するまでに時間遅延があるので、室内に多くの人がいる場合、人の移動に合わせて空調装置を制御することは困難であった。
【０００６】
そこで、本発明はこれらの点に鑑みてなされたものであり、室内のさまざまな位置における温度の調整精度を向上させることができる空調制御システムを提供することを目的とする。
【課題を解決するための手段】
【０００７】
本発明の第１の態様に係る空調制御システムは、複数の照明と、複数の照明が設置された室内の温度を調整する空調装置を制御する空調制御装置と、を備える空調制御システムであって、複数の照明のそれぞれは、温度を測定する温度測定部と、温度測定部により測定された温度を示す温度情報を出力する出力部と、を有し、空調制御装置は、複数の照明の出力部が出力する複数の温度情報を取得する取得部と、複数の温度情報に基づいて、空調装置を制御する制御部と、を有する。
【０００８】
上記の照明は、室内における照明の位置を示す位置情報の入力を受ける位置入力部をさらに有し、出力部は、位置入力部が入力を受けた位置情報に関連付けて温度情報を出力し、取得部は、複数の照明の出力部が出力する複数の位置情報に関連付けられた複数の温度情報を取得し、制御部は、複数の位置情報と複数の温度情報とに基づいて、空調装置を制御してもよい。
【０００９】
上記の空調制御装置は、照明の種別を示す種別情報に関連付けて、照明の発熱量を示す発熱量情報を記憶する記憶部をさらに有し、出力部は、種別情報を、温度情報に関連付けて出力し、取得部は、種別情報に関連付けて複数の温度情報を取得し、制御部は、記憶部に記憶された種別情報に対応する発熱量情報に基づいて複数の温度情報を補正し、補正後の複数の温度情報に基づいて、空調装置を制御してもよい。
【００１０】
上記の照明は、照明の照度を制御する照明制御部をさらに有し、空調制御装置は、照度に関連付けて、照明の発熱量を示す発熱量情報を記憶する記憶部をさらに有し、出力部は、照度を示す照度情報を、温度情報に関連付けて出力し、取得部は、照度情報に関連付けて複数の温度情報を取得し、制御部は、記憶部に記憶された照度情報に対応する発熱量情報に基づいて複数の温度情報を補正し、補正後の複数の温度情報に基づいて、空調装置を制御してもよい。
【００１１】
上記の複数の照明が、第１種の照明と第２種の照明とを含み、照明が、他の照明から温度情報を受信する受信部をさらに有し、第１種の照明においては、受信部が、他の照明から温度情報を受信し、出力部が、他の照明から受信した温度情報と、温度測定部により測定された温度を示す温度情報とを、少なくとも１つの他の照明に対して送信し、第２種の照明においては、受信部が、他の照明から温度情報を受信し、出力部が、他の照明から受信した温度情報と、温度測定部により測定された温度を示す温度情報とを、空調制御装置に対して送信してもよい。
【００１２】
本発明の第２の態様に係る空調制御装置は、複数の照明が設置された室内の温度を調整する空調装置を制御する空調制御装置であって、温度を測定する温度測定部を有する複数の照明が出力する複数の温度情報を取得する取得部と、複数の温度情報に基づいて、空調装置を制御する制御部と、を有する。
【００１３】
本発明の第３の態様に係る温度測定機能付き照明は、温度を測定する温度測定部と、温度測定部により測定された温度を示す温度情報を、複数の照明が設置された室内の温度を調整する空調装置を制御する空調制御装置に対して出力する出力部と、を備える。
【発明の効果】
【００１４】
本発明によれば、室内のさまざまな位置における温度の調整精度を向上させることができるという効果を奏する。
【図面の簡単な説明】
【００１５】
【図１】第１の実施形態に係る空調制御システムＳの構成を示す図である。
【図２】照明１の外形図である。
【図３】照明１及び空調制御装置２の構成を示す図である。
【図４】空調制御装置２が空調装置３を制御する際に用いるテーブルを示す図である。
【図５】空調制御装置２が空調装置３−１を制御する際に用いるテーブルを示す図である。
【図６】第２の実施形態に係る空調制御装置２が空調装置３を制御する際に用いるテーブルを示す図である。
【図７】第４の実施形態に係る照明１の構成を示す図である。
【発明を実施するための形態】
【００１６】
＜第１の実施形態＞
［空調制御システムＳの基本構成］
図１は、第１の実施形態に係る空調制御システムＳの構成を示す図である。空調制御システムＳは、室Ｒに設けられた複数の照明１と、ネットワークＮを介して少なくとも１台の照明１と通信可能な空調制御装置２とを備える。複数の照明１のうちの少なくとも１台は、無線回線により接続されたルーター４を介してネットワークＮに接続されている。
【００１７】
複数の照明１は、室Ｒの天井及び壁面に設置されている。図１に示す複数の照明１は、横方向にｍ台（ｍは３以上の整数）、縦方向にｎ台（ｎは３以上の整数）が、所定の間隔で配置されている。すなわち、図１に示す例の場合、複数の照明１の台数はｍ×ｎである。
【００１８】
空調制御装置２は、複数の照明１において測定された温度に基づいて、空調装置３を制御することにより、複数の照明１が設置された室Ｒの温度を調整する。空調装置３は、室Ｒの温度を調整する複数の空調装置３（図１における、空調装置３−１、空調装置３−２、・・・、空調装置３−ｍ）を有する。本実施形態において、空調装置３−１は、主に照明１−１１から照明１−１ｎの周辺の温度を調整し、空調装置３−２は、主に照明１−２１から１−２ｎの周辺の温度を調整し、空調装置３−ｍは、主に照明１−ｍ１から１−ｍｎの周辺の温度を調整するものとする。
【００１９】
［照明１及び空調制御装置２の構成］
図２は、照明１の外形図である。図３は、照明１及び空調制御装置２の構成を示す図である。照明１は、照明制御部１１、記憶部１２、発光部１３、温度測定部１４、位置入力部１５及び出力部１６を有する。
【００２０】
照明１は、例えば直管型ＬＥＤ照明であり、照明部１ａと、第１接続部１ｂと、第２接続部１ｃとを備える。第１接続部１ｂ及び第２接続部１ｃのそれぞれには、蛍光灯ソケットに接続するための口金が設けられている。ここで、蛍光灯ソケットとは、部屋の天井及び壁面などに設けられている、蛍光灯照明を接続するための接続部を備える装置である。
【００２１】
照明部１ａは、円筒形状の透光カバー内に、複数のＬＥＤが搭載されたＬＥＤ基板が設けられている。第１接続部１ｂの内部には、商用電源を整流し、ＬＥＤを点灯させるための電圧を出力する電源部が設けられている。第２接続部１ｃの内部には、照明制御部１１、記憶部１２、発光部１３、温度測定部１４、位置入力部１５及び出力部１６が設けられている。図２に示すように、温度測定部１４は、第２接続部１ｃの表面に露出する状態で設けられている。
【００２２】
第２接続部１ｃは、外側収容部と、当該外側収容部の内側に回動可能に設けられている内側収容部とを備える。温度測定部１４は内側収容部に固定されており、内側収容部を回動させることにより、温度測定部１４の位置が、照明１の径方向において変化する。なお、外側収容部には、温度測定部１４を露出させるための開口が設けられている。温度測定部１４が、このような形態で設けられていることにより、温度測定部の向きを適切な向きに調整しやすくなる。また、温度測定部１４が、電源部が設けられていない第２接続部１ｃに設けられているので、温度測定部１４は、電源部からの発熱の影響を受けることなく温度を測定できる。
【００２３】
以下、照明制御部１１、記憶部１２、発光部１３、温度測定部１４、位置入力部１５及び出力部１６の構成について説明する。
照明制御部１１は、例えば、ＣＰＵにより構成される。照明制御部１１は、記憶部１２に記憶されているプログラムを実行することにより、発光部１３、温度測定部１４、位置入力部１５及び出力部１６を制御する。
記憶部１２は、例えば、ＲＯＭ及びＲＡＭにより構成される。記憶部１２は、照明１を機能させるための各種プログラムを記憶する。また、記憶部１２は、温度測定部１４が測定した温度を示す情報を一時的に記憶する。
【００２４】
発光部１３は、直列に接続された複数のＬＥＤを有し、照明１の制御に基づいて発光する。発光部１３は、例えば、照明制御部１１が、複数のＬＥＤと直列に接続された抵抗の抵抗値を変化させることにより、照度を変化させることができる。
【００２５】
温度測定部１４は、照明１の周囲の温度を測定する。温度測定部１４は、例えばサーミスタを有し、温度に応じて変化するサーミスタの抵抗値を測定することにより、温度を測定する。
【００２６】
位置入力部１５は、室内における照明１の位置を示す位置情報の入力を受け、入力された位置情報を照明制御部１１に通知する。位置入力部１５は、例えば、数値を入力することができるロータリースイッチ又はＤＩＰスイッチから構成されており、当該スイッチの設定状態に応じた値が、照明制御部１１に入力される。照明１のユーザは、スイッチを操作することにより、照明１の位置に応じた値を設定できる。
【００２７】
具体的には、位置入力部１５は、室Ｒに設置される照明１の数以上のパターンの位置情報の入力を受けることができる。図１に示すように、室Ｒに設置される照明１の数がｍ×ｎの場合、位置入力部１５は、例えば、１からｍまでの値を設定できる第１スイッチと、１からｎまでの値を設定できる第２スイッチとを有し、第１スイッチの値と第２スイッチの値との組み合わせにより得られる値を、照明１の位置を示す位置情報とする。例えば、ユーザは、照明１−２３が有する位置入力部１５の第１スイッチの値を２にして、第２スイッチの値を３にすることで、照明１−２３の位置を設定することができる。
【００２８】
出力部１６は、温度測定部１４により測定された温度を示す温度情報を出力する。具体的には、出力部１６は、例えばブルートゥース（登録商標）又は無線ＬＡＮのような無線通信機能を有しており、無線通信回線、ルーター４及びネットワークＮを介して、位置入力部１５が入力を受けた位置情報に関連付けて、温度情報を空調制御装置２に送信する。
【００２９】
続いて、空調制御装置２の構成について説明する。空調制御装置２は、取得部２１、記憶部２２及び制御部２３を備える。
取得部２１は、複数の照明１の出力部１６が出力する複数の温度情報を取得する。具体的には、取得部２１は、例えばＬＡＮインターフェイスのような通信インターフェイスを有しており、ネットワークＮを介して、複数の温度情報及び位置情報を取得する。取得部２１は、取得した温度情報及び位置情報を記憶部２２に記憶させる。
【００３０】
記憶部２２は、例えば、ＲＯＭ及びＲＡＭにより構成される。記憶部２２は、空調制御装置２を機能させるための空調制御用プログラムを記憶する。コンピュータ（ＣＰＵ）が空調制御用プログラムを実行することにより、コンピュータが、取得部２１及び制御部２３として機能する。また、記憶部２２は、取得部２１が取得した複数の温度情報を、それぞれの温度情報が取得された照明１に対応する位置情報に関連付けて記憶する。
【００３１】
制御部２３は、取得部２１が複数の照明１から取得した複数の温度情報に基づいて、空調装置３を制御する。具体的には、制御部２３は、例えば複数の温度情報の平均値が所定の値よりも大きい場合に、室温を下げるように空調装置３を制御する。制御部２３は、複数の温度情報の平均値が所定の値よりも小さい場合に、室温を上げるように空調装置３を制御する。
【００３２】
［位置情報を用いて空調装置３を制御する］
制御部２３は、複数の温度情報の平均値を用いる代わりに、複数の位置情報と複数の温度情報とに基づいて、空調装置３を制御することにより、室Ｒ内のさまざまな位置における温度の調整精度を向上させることもできる。具体的には、制御部２３は、それぞれの位置情報に対応する温度情報が示す温度が所定の値よりも大きい場合に、複数の空調装置３のうち、当該位置情報に対応する位置の照明１に最も近い空調装置３を制御する。
【００３３】
図４は、空調制御装置２が空調装置３を制御する際に用いるテーブルを示す図である。図４における「照明番号」は、図１に示した符号を示している。「位置情報」は、それぞれの照明１の位置を示している。「測定温度」は、それぞれの照明１において測定された温度を示している。「平均温度」は、同じ列に設置されている複数の照明１の測定温度の平均値を示している。「温度差」は、目標とする室温である２８℃と平均温度との差を示している。
【００３４】
図４において、１列目の照明１（照明１−１１から照明１−１ｎ）で測定された温度の平均値は３２℃であり、目標温度の２８℃よりも４℃高い。そこで、制御部２３は、１列目の照明１に最も近い位置に設置されている空調装置３−１の設定温度を４℃下げて、１列目の照明１の周辺の温度を４℃低下させるように制御する。２列目の照明１（照明１−２１から照明１−２ｎ）で測定された温度の平均値は３０℃であり、目標温度の２８℃よりも２℃高い。そこで、制御部２３は、２列目の照明１に最も近い位置に設置されている空調装置３−２の設定温度を２℃下げて、２列目の照明１の周辺の温度を２℃低下させるように制御する。
【００３５】
［空調装置３と照明１との距離に基づいて、空調装置３を制御する］
図５は、空調制御装置２が空調装置３−１を制御する際に用いるテーブルを示す図である。図５における「温度差」は、それぞれの照明１において測定された温度と目標温度との差を示している。図５における「重み係数」は、空調装置３−１からの距離に応じて定められた係数であり、制御部２３が空調装置３−１の制御に用いる温度情報を算出する場合に用いられる。重み係数は、空調装置３−１に近いほど値が大きく、空調装置３−１から離れるにしたがって値が小さくなり、所定の距離以上の位置における重み係数は０である。図５の例においては、空調装置３−１と同じ列の照明１の重み係数は１であり、空調装置３−２と同じ列の照明１の重み係数は０．５である。
【００３６】
制御部２３は、空調装置３−１の制御をする場合に、それぞれの照明１における測定温度と目標温度との温度差に重み係数を乗算し、乗算した結果を重み係数で加重平均した値を、空調装置３−１の周囲温度とする。具体的には、図５の例において、制御部２３は、｛（２＋３＋・・・＋１）×１＋（０−１＋・・・＋１）×０．５｝÷（１×ｎ＋０．５×ｎ）を算出した結果を空調装置３−１の周囲温度とする。制御部２３は、空調装置３−２、・・・、空調装置３−ｎに対しても、同様の加重平均値を算出することにより、それぞれの空調装置３の周囲温度を算出する。制御部２３は、算出した周囲温度と目標温度との差に基づいて、それぞれの空調装置３を制御する。このようにすることで、室内全体をより均一に温度制御することが可能になる。
【００３７】
［第１の実施形態における効果］
以上のとおり、第１の実施形態に係る空調制御システムＳにおいては、複数の照明１のそれぞれが、温度を測定する温度測定部１４と、温度測定部１４により測定された温度を示す温度情報を出力する出力部１６と、を有し、空調制御装置２が、複数の照明１から受信した複数の温度情報に基づいて空調装置３を制御する。したがって、室内のさまざまな位置の照明１において測定された温度に基づいて、空調装置３を調整できるので、室内のさまざまな位置における温度の調整精度が向上するという効果を奏する。特に、照明１に温度測定部１４を設けることにより、ユーザは、温度センサを新たに設置することなく、従来の照明を本実施形態に係る照明１に交換するのみで、空調制御による温度調整精度を向上させることができるようになる。
【００３８】
また、照明１が位置入力部１５を有し、温度情報と位置情報とを空調制御装置２に送信することにより、空調制御装置２は、室内のそれぞれの場所の温度に応じて空調装置３を制御できるので、室内のさまざまな場所の温度の調整精度をさらに向上することができる。
【００３９】
＜第２の実施形態＞
［照明１の発熱量を考慮して空調装置３を制御する］
第２の実施形態に係る空調制御システムＳは、照明１が発する熱の影響を考慮して空調装置３を制御する点で、第１の実施形態と異なる。記憶部１２は、照明１の種別を示す種別情報を記憶している。種別情報とは、照明１の消費電力や照度のように、照明１の発熱量に影響を与える仕様を特定するための情報である。出力部１６は、照明１の種別を示す種別情報を、温度情報に関連付けて出力する。
【００４０】
空調制御装置２においては、取得部２１が種別情報に関連付けて温度情報を取得すると、記憶部２２は、種別情報に関連付けて、照明１の発熱量を示す発熱量情報を記憶する。制御部２３は、記憶部２２に記憶された種別情報に対応する発熱量情報に基づいて、それぞれの照明１において測定された複数の温度情報を補正し、補正後の複数の温度情報に基づいて、空調装置３を制御する。発熱量情報は、例えば、室内の所定の位置における温度と温度測定部１４において測定される温度との差を示す発熱温度である。
【００４１】
図６は、第２の実施形態に係る空調制御装置２が空調装置３を制御する際に用いるテーブルを示す図である。図６において、照明１−１１から照明１−１ｎは４０Ｗの照明であり、発熱温度は５℃である。そこで、制御部２３は、照明１−１１から照明１−１ｎのそれぞれで測定された温度から５℃を減算することにより、補正後の温度を算出する。照明１−２１から照明１−２ｎは２０Ｗの照明であり、発熱温度は３℃である。そこで、制御部２３は、照明１−２１から照明１−２ｎのそれぞれで測定された温度から３℃を減算することにより、補正後の温度を算出する。
【００４２】
［第２の実施形態における効果］
以上のとおり、第２の実施形態に係る空調制御システムＳにおいては、空調制御装置２が、種別情報に対応する発熱量情報に基づいて、それぞれの照明１において測定された複数の温度情報を補正し、補正後の複数の温度情報に基づいて、空調装置３を制御する。したがって、空調制御装置２は、照明１の種別によって異なる発熱量により生じる温度測定誤差を考慮して空調装置３を制御できるので、温度制御の精度が向上するという効果を奏する。
【００４３】
＜第３の実施形態＞
［照明１の照度を考慮して空調装置３を制御する］
第３の実施形態に係る空調制御システムＳは、照明制御部１１が、照明１の照度を制御し、制御部２３が、照明１の照度に応じて空調装置３を制御する点で、上記の実施形態と異なる。一般に、照明１の照度が大きくなると、発光部１３の消費電力が大きくなり、発熱量が増加する。そこで、温度測定部１４で測定された温度を、照度に応じて補正することにより、制御部２３が、より高い精度で空調装置３を制御することが可能になる。
【００４４】
記憶部１２は、照度に関連付けて、照明１の発熱量を示す発熱量情報を記憶する。例えば、記憶部１２は、１００ルクス、２００ルクス、４００ルクスのそれぞれの照度に関連付けて、室内の所定の位置における温度と温度測定部１４において測定される温度との差を示す発熱温度を記憶する。
出力部１６は、照明制御部１１の制御により設定された照度を示す照度情報を、温度情報に関連付けて出力する。
【００４５】
空調制御装置２においては、取得部２１が照度情報に関連付けて温度情報を取得すると、記憶部２２は、照度情報に関連付けて、照明１の発熱量を示す発熱量情報を記憶する。制御部２３は、記憶部２２に記憶された照度情報に対応する発熱量情報に基づいて、それぞれの照明１において測定された複数の温度情報を補正し、補正後の複数の温度情報に基づいて、空調装置３を制御する。
【００４６】
なお、照明１の出力部１６は、種別情報及び照度情報を温度情報に関連付けて出力してもよい。空調制御装置２の制御部２３は、種別情報、照度情報及び温度情報に基づいて、複数の温度情報を補正し、補正後の複数の温度情報に基づいて空調装置３を制御してもよい。
【００４７】
［第３の実施形態における効果］
以上のとおり、第３の実施形態に係る空調制御システムＳにおいては、空調制御装置２が、照度に対応する発熱量情報に基づいて、それぞれの照明１において測定された複数の温度情報を補正し、補正後の複数の温度情報に基づいて、空調装置３を制御する。したがって、空調制御装置２は、複数の照明１のそれぞれが照度を変化させた場合であっても、照度の変化に応じて変化する発熱量を考慮して空調装置３を制御できるので、温度制御の精度が向上するという効果を奏する。
【００４８】
＜第４の実施形態＞
［温度情報を他の照明１に送信する］
図７は、第４の実施形態に係る照明１の構成を示す図である。第４の実施形態に係る照明１は、他の照明１から温度情報を受信する受信部１７をさらに有する点で、上記の実施形態に係る照明１と異なり、他の点で同じである。本実施形態に係る照明１は、温度情報をルーター４に直接送信する代わりに、他の照明１を介してルーター４に送信する点で、上記の実施形態と異なる。
【００４９】
本実施形態に係る複数の照明１は、第１種の照明１と第２種の照明１から構成される。第１種の照明１は、他の照明１から受信した温度情報と、自身の温度測定部１４において測定された温度情報とを、他の照明１に送信する。第２種の照明１は、他の照明１から受信した温度情報と、自身の温度測定部１４において測定された温度情報とを、空調制御装置２に対して送信する。本実施形態においては、照明１−ｍ１が第２種の照明１であり、他の照明１は第１種の照明１である。すなわち、全ての照明１において検知された温度を示す温度情報は、照明１−ｍ１が集約し、照明１−ｍ１が、ルーター４及びネットワークＮを介して空調制御装置２に送信される。
【００５０】
具体的には、第１種の照明１においては、受信部１７が、他の照明１から温度情報を受信し、出力部１６が、他の照明１から受信した温度情報と、自身の温度測定部１４により測定された温度を示す温度情報とを、少なくとも１つの他の照明１に対して送信する。例えば、照明１−１１は、隣接する照明１−２１に対して温度情報を送信する。照明１−２１は、照明１−１１から受信した温度情報と、照明１−２１の温度測定部１４において測定された温度を示す温度情報とを照明１−３１に送信する。このようにして、第１種の照明１において測定された温度を示す温度情報は、順次、隣接する照明１に送信され、照明１−ｍ１に集約される。
【００５１】
なお、第１種の照明１は、他の照明１に対して、ブルートゥースのような微弱な電波を用いて温度情報を送信してもよく、複数の照明１の間を互いに接続する電力線を介して温度情報を送信してもよい。
【００５２】
［第４の実施形態における効果］
以上のとおり、第４の実施形態に係る空調制御システムＳにおいては、複数の照明１が、第１種の照明１と第２種の照明１から構成され、第２種の照明１が、第１種の照明１が出力する温度情報を集約して、空調制御装置２に送信する。したがって、いずれかの照明１とルーター４との距離が大きい場合であっても、全ての照明１が温度情報を確実に空調制御装置２に送信することができるという効果を奏する。また、照明１は、近距離に設置された他の照明１に温度情報を送信すればよいので、出力部１６として、低コストの通信インターフェイスを使用することができるという効果を奏する。
【００５３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００５４】
例えば、上記の実施形態における温度測定部１４は、サーミスタにより温度を測定するものとして説明したが、温度を測定する素子はサーミスタに限らない。温度測定部１４は、例えば赤外線センサを用いて、照明１から離れた位置の温度を測定してもよい。
【００５５】
また、上記の実施形態における位置入力部１５は、ロータリースイッチ又はＤＩＰスイッチであるものとして説明したが、スイッチ以外の構成により位置の入力を受け付けてもよい。例えば、位置入力部１５は、外部のコンピュータから受信した数値情報又は文字情報を位置情報として取得し、記憶部１２に記憶させてもよい。
【符号の説明】
【００５６】
１・・・照明、１ａ・・・照明部、１ｂ・・・第１接続部、１ｃ・・・第２接続部、２・・・空調制御装置、３・・・空調装置、４・・・ルーター、１１・・・照明制御部、１２・・・記憶部、１３・・・発光部、１４・・・温度測定部、１５・・・位置入力部、１６・・・出力部、１７・・・受信部、２１・・・取得部、２２・・・記憶部、２３・・・制御部
【図１】
2014228173.tif 000003
【図２】
2014228173.tif 000004
【図３】
2014228173.tif 000005
【図４】
2014228173.tif 000006
【図５】
2014228173.tif 000007
【図６】
2014228173.tif 000008
【図７】
2014228173.tif 000009